(57)【特許請求の範囲】
【請求項１】
床面が通常区域と防炎処理区域とに画定された火害軽減床構造であって、
前記防炎処理区域の床基礎表面部を前記通常区域よりも僅かに低くするか、あるいは緩やかな凹み勾配を設け、水系消火設備作動時に散水された消火水や溶出した石油を材料とした高分子系可燃物を貯留可能な構成となすと共に、前記防炎処理区域の前記床基礎表面部に防炎処理材を敷設したことを特徴とする火害軽減床構造。
【請求項２】
前記防炎処理区域の前記床面を区画化し、当該防炎処理区域の前記床基礎表面部を該区画毎に前記通常区域よりも僅かに低くするか、あるいは緩やかな前記凹み勾配を設けることを特徴とする請求項１に記載の火害軽減床構造。
【請求項３】
前記床基礎表面部の構成を前記区画毎に変化させ、石油を材料とした高分子系可燃物が多い区画の前記床基礎表面部に、水系消火設備作動時に散水された消火水を保水可能な吸水性の防炎処理材を敷設したことを特徴とする請求項２に記載の火害軽減床構造。
【請求項４】
フリーアクセスフロアーでパネル上にカーペット類を敷設した床構造であって、床面を区画化し、該区画毎に敷設されるカーペット類を変化させ、石油を材料とした高分子系可燃物が多い区画の床表面に敷設される前記カーペット類を、水系消火設備作動時に散水された消火水を保水可能な吸水性のカーペットタイルにて構成したことを特徴とする火害軽減床構造。
【請求項５】
フリーアクセスフロアーでパネル上にカーペット類を敷設した床構造であって、床面を区画化し、該床面の一部の区画域の下方に水系消火設備作動時に散水された消火水や溶出した石油を材料とした高分子系可燃物を貯留可能な貯留床を設け、その下部空間を配線空間とした二重床構成となすと共に、前記区画域の床表面に防炎処理材を敷設したことを特徴とする火害軽減床構造。
【発明の詳細な説明】
【０００１】
【発明の属する技術分野】
本発明は、火災時に床面に落下した火種、特に溶出した石油を材料とした高分子系可燃物を火種とする延焼拡大等を防止できるようにした、構造物における火害軽減の床構造に関するものである。
【０００２】
【従来の技術】
従来、構造物の床構造としては、火災に対する耐火構造上の観点から床材表面に不燃材又は準不燃材としてのカーペット類やＰタイル等が用いられることが多かった。
【０００３】
一方、コンピューター等を設置するＩＴルームに関しては、一般的にガス系消火材が用いられていたが、近年では一般事務室においても多数のパソコンやＥＷＳが用いられるようになっている。
【０００４】
こうした空間では、図４に示すように床面をフリーアクセスフロアー３０として構成し、コンクリート製の床スラブ３１上に支柱３２や補助脚３３を介して支持された床パネル３４の上面にカーペットタイル等のカーペット類３５を敷設したり、ガラリやパンチングメタルを敷設したりした構成の床基礎構造が採用されることが多い。
そして、それらの床基礎表面には、火災時にスプリンクラーやミスト等の水系消火設備から散水された水が下階に浸水しないように、或る一定の区画毎に土手を形成して浸水防止フィルム等を設置すると共に、この水を特定箇所に排水するために排水口を設置したりしていた。
【０００５】
しかしながら、昨今の執務空間においては、従来の紙や書籍等の木質系可燃物の他に、石油を材料にした高分子系可燃物が急増するに至っており、執務環境が大きく変化している状況下にあり、しかも火災時において、こうした石油を材料にした高分子系可燃物は、木質系可燃物とは異なる挙動を有し、接炎や輻射によって溶出し、火が付いたまま油のように床面に落下して新たな火種となり、床近傍での延焼拡大や温度上昇の要因になる等の問題を内包していた。
【０００６】
【発明が解決しようとする課題】
本発明は、上記したような問題点に対処するためになされたものであり、その第一の課題は、火災時に溶出した石油を材料にした高分子系可燃物が火種となることに起因する床近傍での延焼拡大や温度上昇を防止できるような火害軽減の床基礎構造を提供することにある。
また、本発明のもう一つの課題は、床面に落下した石油を材料にした高分子系可燃物等の火種を積極的に消火できるような構成の火害軽減の床基礎構造を提供することにある。
【０００７】
【課題を解決するための手段】
上記した課題を解決するため、本発明にかかる火害軽減床構造は、床面が通常区域と防炎処理区域とに画定された火害軽減床構造であって、前記防炎処理区域の床基礎表面部を前記通常区域よりも僅かに低くするか、あるいは緩やかな凹み勾配を設け、水系消火設備作動時に散水された消火水や溶出した石油を材料とした高分子系可燃物を貯留可能な構成となすと共に、前記防炎処理区域の前記床基礎表面部に防炎処理材を敷設したことを特徴とするものである。上記した構成とすることにより、火災時に区画毎に僅かに低くした、あるいは緩やかな凹み勾配を設けた床基礎の表面部及びその床表面に敷設された防炎処理材によって、水系消火設備から散水された消火水を貯留し、その中に溶出した石油を材料とした高分子系可燃物を貯留することができるため、火種となる高分子系可燃物の温度を低下させることができると共に、この高分子系可燃物の拡散を抑制し、その結果、床近傍での延焼拡大や温度上昇を防止することができる。
【０００８】
また、本発明にかかる火害軽減の床基礎構造は、上記した床基礎構造において、前記床表面の構成を前記区画毎に変化させ、石油を材料とした高分子系可燃物が多い区画の床基礎表面部に、水系消火設備作動時に散水された消火水を保水可能な吸水性の防炎処理材を敷設したことを特徴とするものである。このように床基礎表面部に敷設した防炎処理材を水系消火設備から散水された消火水を保水可能な吸水性防炎処理材としているため、これに保水された消火水によって火災時に床面に落下した高分子系可燃物等の火種を積極的に消火することができ、床近傍での延焼拡大や温度上昇をより効果的に防止することができる。
【０００９】
更に、本発明にかかる火害軽減の床構造は、フリーアクセスフロアーでパネル上にカーペット類を敷設した床構造であって、床面を区画化し、該区画毎に敷設されるカーペット類を変化させ、石油を材料とした高分子系可燃物が多い区画の床表面に敷設される前記カーペット類を、水系消火設備作動時に散水された消火水を保水可能な吸水性のカーペットタイルにて構成したことを特徴とするものである。上記のようにフリーアクセスフロアーにおいて、区画化された床面のうち、特に石油を材料とした高分子系可燃物が多い区画の床表面に敷設されるカーペット類を、水系消火設備から散水された消火水を保水可能な吸水性のカーペットタイルにて構成することにより、火災時に床面に落下した高分子系可燃物等の火種を消火水を保水した吸水性カーペットタイルによって積極的に消火し、床近傍での延焼拡大や温度上昇を抑制することができる。
【００１０】
更にまた、本発明にかかる火害軽減の床構造は、フリーアクセスフロアーでパネル上にカーペット類を敷設した床基礎構造であって、床面を区画化し、該床面の一部の区画域の下方に水系消火設備作動時に散水された消火水や溶出した石油を材料とした高分子系可燃物を貯留可能な貯留床を設け、その下方空間を配線空間とした二重床構成となすと共に、該区画域の床表面に防炎処理材を敷設したことを特徴とするものである。かかる構成とすることにより、二重床を構成する貯留床によって水系消火設備から散水された消火水や溶出した石油を材料とした高分子系可燃物を貯留することができ、これによって火種となる高分子系可燃物の温度を低下させることができると共に、この高分子系可燃物の拡散を抑制し、床近傍での延焼拡大や温度上昇を防止することができる。また、フリーアクセスフロアーの二重床を構成する貯留床の下方空間である配線空間に主要ケーブル類を配線できるため、ケーブル類に溶出した石油を材料とした高分子系可燃物が直接接触するのを防止でき、ケーブル類を保護することができる。
【００１１】
【発明の実施の形態】
以下に本発明の実施の形態を図１乃至図３に基づいて説明する。
図１は本発明の第１の実施形態にかかる火害軽減の床構造を示す縦断面図、図２は本発明の第２の実施形態にかかる火害軽減の床構造を示す1ユニット区画の斜視図（Ａ）とその縦断面図（Ｂ）、図３は本発明の第３の実施形態にかかるフリーアクセスフロアーに適用した場合の火害軽減の床構造を示す縦断面図である。
【００１２】
図１は第１の実施形態を示すもので、図中において、１は通常の床仕上げ構造の場合における床コンクリートであり、その床面を通常のカーペットタイル２を敷設した通常区域３と机を設置する机周辺部区域４とに画定し、更にその机周辺部区域４を所定のユニット単位、例えば１平米間隔で区画化し、該区画５毎にコンクリート製床スラブの上面すなわち床基礎表面部を僅かに低くなるように構成している。
【００１３】
上記床基礎表面部を僅かに低くした各区画５は、火災時にスプリンクラーやミスト等の水系消火設備が作動して散水された消火水や火災によって溶出した石油を材料とした高分子系可燃物を貯留できるように構成されている。
そして、床表面の構成を通路等の通常区域３と机周辺部区域４とで変化させ、通常区域３には通常のカーペットタイル２を敷設し、机周辺部区域４の床基礎表面部を僅かに低くした各区画５には、それぞれ防炎処理材６を敷設している。
【００１４】
防炎処理材６は、それぞれカーペットタイル状に形成されており、上面を除いた周面を形成する防水層７とその内部に充填された吸水性の保水素材８とからなり、スプリンクラー等の水系消火設備から散水された消火水を保水可能な吸水性処理部材として構成されている。
斯る防炎処理材６としては、主に空隙部を有する材料からなり、その一例としてセルロース系材料によって構成されたゴムマットなどが用いられる。
なお、図１中において、９は机、１０は椅子、１１はスプリンクラー等の水系消火設備から散水された消火水、１２は溶出した石油を材料とした高分子系可燃物を示す。
【００１５】
また、図２は第２の実施形態を示すもので、上記した第１の実施形態では机周辺部区域４の床基礎表面部を僅かに低くし、該区画５に防炎処理材６を敷設した構成としているが、この実施形態では床コンクリート１からなる床面の机周辺部区域４の床基礎表面部を、各区画５毎に中心が僅かに低くなるように緩やかな傾斜面１３を有する凹み勾配１４を形成した構成としている。
【００１６】
各区画５は、例えば一辺Ｌが９０〜１００ｃｍの正方形に区画され、その中心を１ｃｍ程度低くして、各辺から中心に向かって緩やかな傾斜面１３を有する凹み勾配１４を設けた構成とされ、火災時にスプリンクラーやミスト等の水系消火設備が作動して散水された消火水１１や火災によって溶出した石油を材料とした高分子系可燃物１２を貯留できるように構成されている。
なお、床表面を平らにするため、各区画５には防炎処理機能する吸水性及び保水性を有する化粧材１５が敷設されている。
【００１７】
しかして、上記した第１及び第２の実施形態によると、通常の床仕上げ構造において、その床コンクリート１からなる床面の机周辺部区域４の床基礎表面部を所定のユニット単位、例えば１平米間隔で区画化し、該区画５毎に床基礎表面部を僅かに低くなるように構成するか、あるいは各区画５毎に中心が僅かに低くなるように緩やかな傾斜面１３を有する凹み勾配１４を形成した構成となし、水系消火設備作動時に散水された消火水１１や溶出した石油を材料とした高分子系可燃物１２を貯留できるようにすると共に、これらの床表面に防炎処理材６あるいは防炎処理材として機能する化粧材１５を敷設した構成としているため、火災時にこの区画化された床基礎表面部及びその床表面に敷設された防炎処理材６あるいは化粧材１５によって水系消火設備から散水された消火水１１を貯留し、その中に溶出した石油を材料とした高分子系可燃物１２を貯留することができる。
【００１８】
従って、火種となる高分子系可燃物１２の温度を貯留された消火水１１によって低下させることができると共に、この高分子系可燃物１２の拡散を抑制し、その結果、床近傍での延焼拡大や温度上昇を防止することができる。
特に、防炎処理材６あるいは化粧材１５を散水された消火水を保水可能な吸水性防炎処理材にて構成することによって、火種となる高分子系可燃物１２を積極的に消火することができるため、延焼拡大や温度上昇をより効果的に防止することができる。
【００１９】
次に、フリーアクセスフロアーに適用する場合について説明する。
フリーアクセスフロアーは、一般的には図４に示したようにコンクリート製の床スラブ３１上に支柱３２、３３を介して床パネル３４が支持され、この床パネル３４上にカーペット類３５を敷設したり、あるいはガラリやパンチングメタル等を敷設したりすることによって構成される。
【００２０】
このようなフリーアクセスフロアーを火害軽減の床構造とするため、上記と同様に床面を所定のユニット単位に区画化し、該区画５毎に敷設されるカーペット類を変化させ、石油を材料とした高分子系可燃物１２が多い区画５の床表面に敷設されるカーペット類を、水系消火設備作動時に散水された消火水１１を保水可能な吸水性のカーペットタイルにて構成することができる。
これによってフリーアクセスフロアーを火害軽減の床構造とすることができ、火災時に水系消火設備から散水された消火水１１を吸水性のカーペットタイルにて保水し、溶出して床面に落下する石油を材料とした高分子系可燃物１２等の火種を積極的に消火し、床近傍での延焼拡大や温度上昇を抑制することができる。
【００２１】
また、ＯＡ室の床構成として用いられるフリーアクセスフロアーの構成を、図３に示す。図例のように床スラブ２０上に支柱２１を介して支持された床パネル２２を所定のユニット単位に区画化し、該床パネル２２上の室内通路部分になる所定区画域２３の下方に、水系消火設備作動時に散水された消火水１１や溶出した石油を材料とした高分子系可燃物１２を貯留するための貯蔵空間２４を形成することで二重床構成の貯留床２５を設ける。上記区画域２３の床表面には防炎処理材２６として空気流２７を生じさせることができるグリル付きタイルあるいは透水性カーペットタイルを敷設した構成にすることができる。
【００２２】
そして、このような貯留床２５を設けた二重床構成となすことにより、貯留床２５の貯蔵空間２４内に火災時に水系消火設備から散水された消火水１１や溶出した石油を材料とした高分子系可燃物１２を貯留できると共に、その下部空間を主要なケーブル類の配線空間２８とすることができる。
【００２３】
しかして、かかる実施形態によると、火災時に水系消火設備から散水された消火水１１や溶出した石油を材料とした高分子系可燃物１２を貯留床２５の貯蔵空間２４内に貯留することができるため、これによって火種となる高分子系可燃物１２の温度を低下させることができると共に、この高分子系可燃物１２の拡散を抑制し、床近傍での延焼拡大や温度上昇を防止することができる。
また、貯留床２５の下部空間である配線空間２８に主要ケーブル類を配線することができるため、溶出した石油を材料とした高分子系可燃物１２が直接ケーブル類に接触するのを防止することができ、これによってケーブル類を保護し、火災時においても通信系を保護、維持することができる。
【００２４】
なお、上記した実施形態では、床面を構成する床表面の材料を通路部分や机周辺部分において変化させる場合について説明し、しかもその材料を単に色合いや材質を変えるのではなく、吸水性、難燃性、防災加工等の性状を変える場合について説明したが、本発明はこれらの実施形態に限定されるものではなく、通路部分、机周辺部分以外に、構造物の共有空間、会議室、倉庫、病室、棚等の様々な部位に適用できることは言うまでもない。
【００２５】
【発明の効果】
以上に詳細に説明したように、本発明にかかる火害軽減の床構造によると、火災時に所定のユニット単位で区画化された床基礎表面部及びその床表面に敷設された防炎処理材によって水系消火設備から散水された消火水を貯留し、その中に溶出した石油を材料とした高分子系可燃物を貯留することができるため、火種となる高分子系可燃物の温度を低下させることができる。また、これによって火種となる高分子系可燃物の拡散を抑制でき、その結果、床近傍での延焼拡大や温度上昇を防止することができる。
更に、床面に落下した石油を材料にした高分子系可燃物等の火種を水系消火設備から散水された消火水を保水した吸水性の防炎処理材により積極的に消火できるようにしているため、床近傍での延焼拡大や温度上昇をより効果的に防止することができる。
【図面の簡単な説明】
【図１】本発明の第１の実施形態にかかる火害軽減の床構造を示す縦断面図である。
【図２】本発明の第２の実施形態にかかる火害軽減の床構造を示す1ユニット区画の斜視図（Ａ）とその縦断面図（Ｂ）である。
【図３】本発明の第３の実施形態にかかるフリーアクセスフロアーに適用した場合の火害軽減の床構造を示す縦断面図である。
【図４】従来のフリーアクセスフロアーの構成を示す縦断面図である。
【符号の説明】
１…床コンクリート、２…カーペットタイル、３…通常区域、４…机周辺部区域、５…各区画、６…防炎処理材、７…防水層、８…保水素材、９…机、１０…椅子、１１…消火水、１２…高分子系可燃物、１３…傾斜面、１４…凹み勾配、１５…化粧材、２０…床スラブ、２１…支柱、２２…床パネル、２３…所定区画域、２４…貯蔵空間、２５…貯留床、２６…防炎処理材、２７…空気流、２８…配線空間
【図１】
0003928034.tif 000002
【図２】
0003928034.tif 000003
【図３】
0003928034.tif 000004
【図４】
0003928034.tif 000005